(57)【要約】【課題】電子カメラを用いて動画像を撮影する場合、使用者が意図的に動画像記録の開始時に傾斜させて撮影する場合、動画像記録中も記録開始時の傾斜を維持することが可能となるように、傾斜状態に関する情報を報知することができない。【解決手段】電子カメラを用いて動画像を撮影する場合、動画像記録の開始時の傾斜度を記憶しておき、動画像記録の開始時と動画像記録中の傾斜度とを比較して両者の角度差に応じて、傾斜状態を報知することにより、使用者が意図的に動画像記録の開始時に傾斜させて撮影した場合、動画像記録中も記録開始時の傾斜を維持することができる。【選択図】図２
2011166444.tif 000002
【特許請求の範囲】
【請求項１】
被写界像を撮像素子に結像して撮像信号を順次生成する撮像手段と、
前記撮像信号を基に得られる画像データを順次表示する表示手段を備える撮像装置において、
該撮像装置の装置本体の傾斜の角度を所定面に対する傾斜度として検出する傾斜度検出手段と、
前記画像データの前記表示手段での表示中の所定タイミングでの前記傾斜度を記憶する傾斜度記憶手段と、
該傾斜度記憶手段により記憶された傾斜度と前記動画像記録中の傾斜度とを比較して両者の差を角度差として出力する傾斜度比較手段と、
前記角度差に応じて装置本体の所定面に対する傾斜状態に関する情報を報知する報知手段を備えることを特徴とする撮像装置。
【請求項２】
動画像記録指示に応じて前記画像データを順次記録媒体に記録する記録処理を実行する記録手段を備え、
前記所定タイミングは前記記録手段に基づく動画像記録の開始時であることを特徴とする請求項１記載の撮像装置。
【発明の詳細な説明】
【技術分野】
【０００１】
本発明は、撮像装置に関し、特に傾斜状態に関する情報を報知する報知手段を備えるディジタルカメラ等の電子カメラに関する。
【背景技術】
【０００２】
従来、電子カメラにおいて、水平面に対して傾きのない画像を撮影したいという要望に対して、傾斜状態を表示する機能を備えたものが考えられている。
【０００３】
そこで、カメラの傾斜状態を示す為に、等間隔に並列された複数の表示片部をモニター部に表示して、傾斜状態を報知する装置の一例が特許文献１に開示されている。
【特許文献１】特開２００９−２２８１０１号公報
【発明の概要】
【発明が解決しようとする課題】
【０００４】
特許文献１においては、カメラの傾斜状態が水平であることを示す為に、等間隔に並列された複数の表示片部をモニター部に表示して、傾斜状態を報知する技術が開示されている。しかしながら、使用者が意図的に動画像記録の開始時に傾斜させて撮影する場合、動画像記録中も記録開始時の傾斜を維持することが可能となるように、傾斜状態に関する情報を報知することができない。
【課題を解決するための手段】
【０００５】
第一の発明の撮像装置は、被写界像を撮像素子に結像して撮像信号を順次生成する撮像手段と、前記撮像信号を基に得られる画像データを順次表示する表示手段を備える撮像装置において、該撮像装置の装置本体の傾斜の角度を所定面に対する傾斜度として検出する傾斜度検出手段と、前記画像データの前記表示手段での表示中の所定タイミングでの前記傾斜度を記憶する傾斜度記憶手段と、該傾斜度記憶手段により記憶された傾斜度と前記動画像記録中の傾斜度とを比較して両者の差を角度差として出力する傾斜度比較手段と、前記角度差に応じて装置本体の所定面に対する傾斜状態に関する情報を報知する報知手段を備えることを特徴とする。
【０００６】
第二の発明の撮像装置は、第一の発明の撮像装置に従属し、動画像記録指示に応じて前記画像データを順次記録媒体に記録する記録処理を実行する記録手段を備え、前記所定タイミングは前記記録手段に基づく動画像記録の開始時であることを特徴とする。
【発明の効果】
【０００７】
以上に、述べた本発明によれば、電子カメラにおいて、使用者が意図的に動画像記録の開始時に傾斜させて撮影した場合、傾斜状態に関する情報を報知することにより、動画像記録中も記録開始時の傾斜を維持することが可能となる。
【図面の簡単な説明】
【０００８】
【図１】本発明の一実施例である電子カメラの外観を示す外観図である。
【図２】本発明の一実施例である電子カメラの構成を示すブロック図である。
【図３】本発明の一実施例である動作の一例を示すフロー図である。
【図４】本発明の一実施例である撮影開始時の表示画像の一例を示す図解図である。
【図５】本発明の一実施例である撮影中の表示画像の一例を示す図解図である。
【図６】本発明の一実施例である撮影中の表示画像のさらに他の一例を示す図解図である。
【発明を実施するための形態】
【０００９】
以下の実施例を、撮像装置の１つの例として、電子カメラ１０の形態を図面を参照しながら説明する。
【００１０】
電子カメラ１０の外観図を図１に示す。図１の電子カメラ１０は、少なくとも図示しない撮像部、操作部２、表示部４、マイク部６、およびスピーカ８を備える。撮像部では撮像動作が行われる。操作部２を構成する２ａ〜２ｈを詳しく説明すると、２ａは撮像動作を指示するシャッタボタン、２ｂは画像を拡大させるＴＥＬＥボタン、２ｃは画像を縮小させるＷＩＤＥボタンである。画像を拡大、縮小させるズーム処理は、図２のＣＰＵ３６の制御に基づいてドライバ２５及び撮像レンズ２２によって実現される。
【００１１】
この場合、ユーザがＴＥＬＥボタン２ｂに圧力を付与することによってＴＥＬＥボタン２ｂを押し下げればズーム倍率の可変範囲内においてズーム倍率は増大し、ユーザがＷＩＤＥボタン２ｃに圧力を付与することによってＷＩＤＥボタン２ｃを押し下げればズーム倍率の可変範囲内においてズーム倍率は減少する。ズーム倍率の増大量又は減少量は、ＴＥＬＥボタン２ｂ又はＷＩＤＥボタン２ｃを押し下げている時間の長さに比例する。即ち、ＴＥＬＥボタン２ｂを押し下げている時間の長さが増加するに伴ってズーム倍率の増大量は増加し、ＷＩＤＥボタン２ｃを押し下げている時間の長さが増加するに伴ってズーム倍率の減少量は増加する。
【００１２】
２ｄは再生モードボタンであり、押下されると電子カメラは再生モードに移行する。同様に、２ｆは静止画撮像モードボタン、２ｅは動画像記録モードボタンであり、押下されると電子カメラはそれぞれのモードに移行する。２ｇは４方向に操作されることにより表示部４内に表示される項目等を選択指示するカーソルキーであり、４方向の中心部が押下されることにより、項目等を決定することができる。そして、２ｈは表示部４に、選択可能な項目等を表示させるメニューボタンである。
【００１３】
さらに図１で示した電子カメラ１０内部のブロック図である図２を用いて電子カメラ１０を更に詳細に説明する。電子カメラ１０は、操作部２、表示部４、マイク部６、スピーカ８、撮像レンズ２２、絞り機構２４、ドライバ２５、ＣＣＤイメージャ２６、撮像処理部２８、ＳＤＲＡＭ３０、ビデオエンコーダ３２、メニュー切替スイッチ３４、ＣＰＵ３６、ＡＦ処理部３８、圧縮・伸張処理部４０、スピーカアンプ４２、カード制御部４４、音声処理部４８、画像用Ｄ／Ａ変換回路５０、データ処理部５２、フラッシュメモリ５６、音声用Ｄ／Ａ変換回路５８、傾斜センサ６０およびキャラクタ生成部６１を備えて構成されている。
【００１４】
撮像レンズ２２は、被写体の光学像を撮像デバイスであるＣＣＤイメージャ２６の撮像面上に結像させる。また、撮像レンズ２２はＣＣＤイメージャ２６の出力信号に基づいて光軸方向の移動が調節される。絞り機構２４は、制御されることにより撮像レンズ２２よりＣＣＤイメージャ２６に入る光を調節する。更に、撮像レンズ２２は画像を拡大、縮小させるズーム機構を備えている。これらの撮像レンズ２２、および絞り機構２４の調節はドライバ２５で行われる。
【００１５】
ＣＣＤイメージャ２６から出力されたアナログ撮像信号は、撮像処理部２８によってＡ／Ｄ変換、色分離、白バランス調整、ＹＵＶ変換等の所定の処理が行われ、輝度信号であるＹ信号および色差信号であるＵ、Ｖ信号に変換される。
【００１６】
ＣＰＵ３６は、操作部２、ドライバ２５、撮像処理部２８、ＳＤＲＡＭ３０、メニュー切替スイッチ３４、ＡＦ処理部３８、圧縮・伸張処理部４０、スピーカアンプ４２、カード制御部４４、音声処理部４８、画像用Ｄ／Ａ変換回路５０、データ処理部５２、フラッシュメモリ５６、音声用Ｄ／Ａ変換回路５８、傾斜センサ６０およびキャラクタ生成部６１に接続される。ＣＰＵ３６は、フラッシュメモリ５６に格納されているプログラムに従って、撮像処理部２８、ＳＤＲＡＭ３０、圧縮・伸張処理部４０、スピーカアンプ４２、カード制御部４４、音声処理部４８、画像用Ｄ／Ａ変換回路５０、データ処理部５２、音声用Ｄ／Ａ変換回路５８、傾斜センサ６０およびキャラクタ生成部６１の制御を行う。
【００１７】
次に、操作部２が操作されることによる電子カメラ１０の動作の説明をする。
【００１８】
上述したように、操作部２は、各種ボタンまたはキー２ａ〜２ｈで構成される。ＣＰＵ３６は静止画撮像モードボタン２ｆが押下されることによって静止画撮像モード状態にあるとき、シャッタボタン２ａが押下されることによって静止画撮像操作がなされる。そして、１フレーム分の被写体の光学像が撮像レンズ２２、絞り機構２４、ＣＣＤイメージャ２６、撮像処理部２８によって所定の処理がなされ、撮像処理部２８によって得られたＹ、Ｕ、Ｖ信号であるディジタル画像データがＳＤＲＡＭ３０に一旦格納される。
【００１９】
その後、一旦格納された１フレーム分のディジタル画像データは、圧縮・信号処理部４０、ここではＪＰＥＧコーデックによって、ＪＰＥＧ形式で圧縮される。圧縮された圧縮ディジタル画像データは再びＳＤＲＡＭ３０に格納される。
【００２０】
また、データ処理部５２にて、一旦格納された１フレーム分のディジタル画像データから縮小処理によりサムネイルデータが生成され、ＳＤＲＡＭ３０に格納され、圧縮・伸張処理部４０にて、ＪＰＥＧコーデックによってＪＰＥＧ圧縮される。圧縮された圧縮サムネイルデータは、再びＳＤＲＡＭ３０に格納される。
【００２１】
そして、圧縮ディジタル画像データおよび圧縮サムネイルデータは、ＣＰＵ３６が１つの静止画像ファイルとしてカード制御部４４を制御することによって外部メモリカード４６に記録される。
【００２２】
ＡＦ処理部３８では、静止画撮像モード中にスルー画としてＣＣＤイメージャ２６から入力される撮像画像を、撮像処理部２８にて処理することにより得られるＹデータの高域周波数成分を１フレーム毎に積分する。積分結果つまりフォーカス評価値はＣＰＵ３６によって取り込まれ、ＣＰＵ３６は取り込んだフォーカス評価値に基づいてドライバ２５を制御する。この結果、光学レンズ２２の光軸方向の位置が調整される。このとき、撮影状況に応じた適切な評価を行うため、評価エリアは撮影状況に応じて周辺部を含む大範囲と中央部分等の一部のみの小範囲とに切換わり、この評価エリアの変化により合焦制御方式が変わる。
【００２３】
傾斜センサ６０は、重力加速度センサであり、重力方向を検出することにより、電子カメラの重力方向に対する傾斜度を検出することができる。
【００２４】
また、ＣＰＵ３６は動画像記録モードボタン２ｅが押下されることによって動画像記録モード状態にあるとき、シャッタボタン２ａが押下されることによって動画像記録動作がなされる。シャッタボタン２ａが再び押下され動画像記録が終了するまで、動画像記録処理が実行される。この動画像記録処理は例えば１秒間に３０フレーム分の静止画撮像処理を連続的に行うことと同様の処理であり、Ｙ、Ｕ、Ｖ信号であるディジタル画像データが所定時間分だけＳＤＲＡＭ３０に一旦格納するまでの処理が行われる。
【００２５】
更に、動画像記録動作中は、前述したように静止画撮像モード中のスルー画と同様、ＡＦ処理部３８においてＡＦ処理が行われ、ＣＰＵ３６は取り込んだフォーカス評価値に基づいてドライバ２５を制御し、光学レンズ２２の光軸方向の位置が調整される。
【００２６】
そして、同時に複数のディジタル画像データは、時系列に画像用Ｄ／Ａ変換回路５０によりアナログ画像信号に変換される。ビデオエンコーダ３２は、画像用Ｄ／Ａ変換回路５０からのアナログ画像データを基に映像信号に変換し、表示部４において変換された映像信号を表示する。
【００２７】
更に、ＣＰＵ３６は、ビデオエンコーダ３２によって変換されたアナログ映像信号に、キャラクタ生成部６１で生成したキャラクタをデータ処理部５２により付加し、表示部４においてキャラクタが付加された映像信号を表示する。
【００２８】
そして、動画像撮像終了の操作がなされると、ＳＤＲＡＭ３０に格納されている連続した複数のディジタル画像データが圧縮・伸張処理部４０にて、ここではＭｏｔｉｏｎＪＰＥＧコーデックによって動画圧縮され、再びＳＤＲＡＭ３０に格納される。
【００２９】
更に、動画像記録モードにあるとき、ＣＰＵ３６は操作部２のシャッタボタン２ａが押下されることによって音声記録操作を行う。つまり、マイク部６から音声信号を取り込み、音声処理部４８によって音声信号を増幅しディジタル音声データに変換する。ディジタル音声データは圧縮・伸張処理部４０にて圧縮され、ＳＤＲＡＭ３０に格納される。動画像撮影修了の操作がなされるまで、圧縮された音声データがＳＤＲＡＭ３０に格納される。
【００３０】
次に、圧縮された連続した複数の圧縮画像データおよび圧縮された音声データは、１つの動画ファイルとしてカード制御部４４が制御されることによって外部メモリカード４６に記録される。
【００３１】
再生モードボタン２ｄが押下されると、外部メモリカード４６に記録された最新の静止画像ファイルまたは動画像ファイルが再生される。
【００３２】
具体的には、静止画像ファイルが再生される場合、ＣＰＵ３６は、カード制御部４４を制御して、外部メモリカード４６に記録されている静止画像ファイルの圧縮画像データをＳＤＲＡＭ３０に一旦格納させる。ＳＤＲＡＭ３０に格納された圧縮画像データは、圧縮・伸張処理部４０にて、ＪＰＥＧコーデックにより伸張処理される。伸張処理されたディジタル画像データは、ＳＤＲＡＭ３０に一旦格納され、画像用Ｄ／Ａ変換回路５０によりアナログ画像信号に変換される。ビデオエンコーダ３２は、画像用Ｄ／Ａ変換回路５０からのアナログ画像データを基に映像信号に変換し、表示部４において変換された映像信号を表示する。
【００３３】
動画像ファイルを再生する場合は、ＣＰＵ３６は、カード制御部４４を制御して、外部メモリカード４６に記録されている動画像ファイルの複数の圧縮画像データをＳＤＲＡＭ３０に一旦格納させる。ＳＤＲＡＭ３０に格納された複数の圧縮画像データは、画像圧縮・伸張処理部４０にて、ＭｏｔｉｏｎＪＰＥＧコーデックにより伸張処理される。伸張処理された複数のディジタル画像データは、ＳＤＲＡＭ３０に一旦格納され、時系列に画像用Ｄ／Ａ変換回路５０によりアナログ画像信号に変換される。ビデオエンコーダ３２は、画像用Ｄ／Ａ変換回路５０からのアナログ画像データを基に映像信号に変換し、表示部４において変換された映像信号を表示する。
【００３４】
更に、外部メモリカード４６に記録された動画ファイルの中の音声データは、圧縮・伸張処理部４０で伸張処理される。伸張処理されたディジタル音声データはＳＤＲＡＭ３０に格納される。その後、ＳＤＲＡＭ３０に格納された音声データはＤ／Ａ変換回路５８によりアナログ音声信号に変換される。アナログ音声信号はスピーカアンプ４２にてアンプ処理され、映像信号の表示と同期をとりながらスピーカ８に出力される。
【００３５】
次にＣＰＵ３６が行う処理を図３乃至図６を用いて詳述する。
【００３６】
まず、図３を参照して、動画像記録処理を説明する。
【００３７】
ＣＰＵ３６はステップＳ１０１において、ＣＣＤイメージャ２６から出力されたアナログ撮像信号に基づいて、信号処理等の上述した処理が施されたディジタル画像データを、スルー画として表示部４へ出力し、ステップＳ１０２へ進む。
【００３８】
ステップＳ１０２において、電子カメラの使用者が動画像記録のための画角を決定し、シャッタボタン２ａが押下されたか否かを判断する。ステップＳ１０２にてＮＯと判断した場合、ステップＳ１０１へ戻る。また、ステップＳ１０２にてＹＥＳと判断した場合、ステップＳ１０４へ進み、ステップＳ１０４では動画像記録が開始される。
【００３９】
そして、ステップＳ１０６へ進み、傾斜センサ６０による情報から動画像記録開始時のカメラの傾斜度である「ＡＮＧ１」を検出する。例えば、水平線に対するカメラの傾斜度が「ＡＮＧ１」である場合を図４に示している。
【００４０】
次に、ステップＳ１０８へ進み、動画像記録開始時のカメラの傾斜度である「ＡＮＧ１」をＳＤＲＡＭ３０に記憶させる。更に、ステップＳ１１０へ進み、続けて傾斜センサ６０による情報から動画像記録中の水平線に対するカメラの傾斜度である「ＡＮＧ２」を検出し、ステップＳ１１２へ進む。
【００４１】
ステップＳ１１２において、「ＡＮＧ２」と「ＡＮＧ１」の差の絶対値が所定値αより大きいか否かを判断する。例えば、所定値αを５度と設定するなど、カメラの少しの傾きは許容範囲とする。
【００４２】
ステップＳ１１２において、ＹＥＳと判断した場合、ステップＳ１１４へ進み、ステップＳ１１４において、「ＡＮＧ２」が「ＡＮＧ１」より大きいか否かを判断する。
【００４３】
ステップＳ１１４において、ＹＥＳと判断した場合、ステップＳ１１８へ進み、数１を用いて角度「ＡＮＧ３」を算出する。
【００４４】
【数１】
2011166444.tif 000003
次に、ステップＳ１２０へ進み、「左を“ＡＮＧ３”度下げてください」の警告用キャラクタをキャラクタ生成部６１にて生成し、データ処理部５２により生成したキャラクタをアナログ映像信号に付加し、表示部４においてキャラクタが付加された映像信号を表示する。例えば、角度「ＡＮＧ３」が２０度の場合を図６に示している。そして、ステップＳ１２５へ進む。
【００４５】
ステップＳ１１４において、ＮＯと判断した場合、ステップＳ１２２へ進み、数２を用いて角度「ＡＮＧ４」を算出する。
【００４６】
【数２】
2011166444.tif 000004
次に、ステップＳ１２４へ進み、「左を“ＡＮＧ４”度上げてください」の警告用キャラクタをキャラクタ生成部６１にて生成し、データ処理部５２により生成したキャラクタをアナログ映像信号に付加し、表示部４においてキャラクタが付加された映像信号を表示する。そして、ステップＳ１２５へ進む。
【００４７】
ステップＳ１１４において、ＮＯと判断した場合、ステップＳ１１６へ進み、「正しい傾きです」のキャラクタをキャラクタ生成部６１にて生成し、データ処理部５２により生成したキャラクタをアナログ映像信号に付加し、表示部４においてキャラクタが付加された映像信号を表示する。例えば、傾斜角度が正しい場合を図５に示している。そして、ステップＳ１２５へ進む。
【００４８】
ステップＳ１２５において、ＣＰＵ３６は、ＳＤＲＡＭ３０に格納されている圧縮された複数の圧縮画像データおよび音声データを、カード制御部４４を制御することによって外部メモリカード４６へ順次記録させる。
【００４９】
ステップＳ１２６において、動画像記録が停止されたか否かを判断する。ステップＳ１２６において、ＮＯと判断した場合、ステップＳ１１０へ戻る。また、ステップＳ１２６において、ＹＥＳと判断した場合、ステップＳ１２８へ進み、動画像記録処理が停止され、動画像記録処理が終了される。
【００５０】
以上のように、電子カメラにおいて、使用者が意図的に動画像記録の開始時に傾斜させて撮影した場合、傾斜状態に関する情報を報知することにより、動画像記録中も記録開始時の傾斜を維持することが可能となる。
【００５１】
なお、上述した実施例では、動画像記録開始時にカメラの傾斜度である「ＡＮＧ１」をＳＤＲＡＭ３０に記憶させる内容について説明したが、これに限定されるものではなく、例えば、動画像記録開始時のみではなく、動画像記録の任意のタイミングで傾斜度を記憶することも可能であり、また、動画像記録の任意のタイミングで記憶された傾斜度を初期設定しても良い。更に、動画像記録開始の前のスルー画表示時の任意のタイミングで傾斜度を記憶することも可能であり、動画像記録開始の前のスルー画表示時に傾斜状態に関する情報を報知しても良い。
【００５２】
また、上述した実施例では、撮像素子としてＣＣＤイメージャを用いて説明したが、これに限定されるものではなく、例えばＣＭＯＳセンサなど他の撮像素子でも同様の構成が可能である。
【００５３】
更に、上述した実施例では、動画像の圧縮・伸張コーデックとして、ＭｏｔｉｏｎＪＰＥＧコーデックを用いて説明したが、これに限定されるものではなく、例えばＭＰＥＧコーデックなど他のコーデックでも同様の構成が可能である。更に、上述した実施例では、記録媒体として外部メモリカードを記載したが、例えば、内蔵のハードディスクなど他の記録媒体であっても良い。
【符号の説明】
【００５４】
２      …操作部
４      …表示部
１０    …電子カメラ
３０    …ＳＤＲＡＭ
３２    …ビデオエンコーダ
３６    …ＣＰＵ
４０    …圧縮・伸張処理部
４４    …カード制御部
４６    …外部メモリカード
５０    …画像用Ｄ／Ａ変換回路
５２    …データ処理部
５６    …フラッシュメモリ
５８    …音声用Ｄ／Ａ変換回路
６０    …傾斜センサ
６１    …キャラクタ生成部
【図１】
2011166444.tif 000005
【図２】
2011166444.tif 000006
【図３】
2011166444.tif 000007
【図４】
2011166444.tif 000008
【図５】
2011166444.tif 000009
【図６】
2011166444.tif 000010